【手続補正書】
【提出日】平成17年7月13日(2005.7.13)
【手続補正１】
【補正対象書類名】明細書
【補正対象項目名】０００７
【補正方法】変更
【補正の内容】
【０００７】
本発明によれば、前記の筒状体１内に装着される防沫体２は図１、図２、図３に示すような構成としたことを特徴とする。
即ち、該防沫体２は該筒状体１内にその下端開放面から挿入した際にその下端開放面を閉塞した状態で該筒状体１の下端部の内周面に設けた係止用溝１ｆに嵌合係止されるに適した円板状の水平基板２ａと該水平基板２ａの上面にその中心軸線上に植立した支柱２ｂとから成る基本構成を有する点は従来と変わりないが、該防沫体２の特徴とする構成は次の点に在る。即ち、（ａ）該支柱２ｂを挟んで互いに対峙して上向きに傾斜せしめた防沫板２ｃ，２ｃを対とし、これをその支柱２ｂに上下方向に適当な間隔を存して配設したこと、（ｂ）上下方向において各相対向する上段に位置する一対の上向き傾斜防沫板２ｃ，２ｃの対峙方向と下段に位置する一対の上向き傾斜防沫板２ｃ，２ｃの対峙方向を互いにずらせて配置し、上段に位置する一対の上向き傾斜防沫板の対向する下端縁間に該支柱２ｂを挟んで形成される通気用間隙５と下段に位置する一対の上向き傾斜防沫板２ｃ，２ｃの下端縁間に該支柱２ｂを挟んで形成される通気用間隙５とが互いに整合しないように位置をずらして配置したこと、更に、（ｃ）その各段における一対の上向き防沫板２ｃ，２ｃの上端板部は、該防沫体２を該筒状体１内に挿入したとき、該筒状体１の周側壁内面１ｇに摺接するか殆ど摺接に近い電解液の通過を許容しない程度に近接するようにし、かくして、各段において、一対の上向き傾斜防沫板２ｃ，２ｃの上端板部と該筒状体１の周側壁内面１ｇとの間に上向きに細くなるテーパー状の空間部４，４、即ち、電解液捕集用のデルター状空間部４，４が形成されようにしたことである。
この場合、最下段の一対の上向き傾斜防沫板２ｃ，２ｃの上端縁と該筒状体１の周側壁内面との間に形成されているデルター状空間部は、紙面に対し前後方向に形成されているが、図示には現れない。
【手続補正２】
【補正対象書類名】明細書
【補正対象項目名】０００８
【補正方法】変更
【補正の内容】
【０００８】
図示の実施例では、各段の一対の対峙する上向き傾斜防沫板２ｃ，２ｃの形状は、その下端縁は直線縁とし、その上端周縁は円弧状としたもので、かくして、その相対向する直線状の下端縁の中央部において該支柱２ｂの対向側面に固着され、その平行する下端縁間に図２に明示するように該支柱２ｂの太さと同じ幅で且つ該筒状体１の径方向に長手の長矩形状の通気用間隙５が形成されるようにした。
尚、該防沫体２を該筒状体１内に装着するに当たり、その最下段の一対の上向き傾斜防沫板２ｃ，２ｃの対峙方向は、該筒状体１の下端部の両側に配設した開口部１ｃ，１ｃに対し対面するように配置し、従って、該一対の上向き傾斜防沫板２ｃ，２ｃの下端縁間の通気用間隙５は、該開口部１ｃ，１ｃに対し適当な角度で交叉するように、図示の例では、直交するように配置されるようにすることが一般であり、好ましい。
尚また、最下段の一対の上向き傾斜防沫板２ｃ，２ｃの上端縁の位置が、該筒状体１の下部両側の開口部１ｃ，１ｃの上端と略同じ高さに位置しているが、例えば、該開口部１ｃ，１ｃの高さを低くし、その上端縁の位置が、該開口部１ｃ，１ｃの上端より上方に位置し、該開口部１ｃ，１ｃの上方にもデルター状空間部が形成されるようにしてもよいことは勿論である。
また、該支柱２ｂの横断面形状は、図示の例では、正四角形か真円形とすることにより、該支柱２ｂを挟んで形成される各段の一対の上向き傾斜防沫板２ｃ，２ｃ間の通気用間隙５の幅寸法は全て同一としたが、勿論、これに限定されず、横断面形状は、例えば矩形状その他所望の形状のものを採用してもよい。実施例に示す支柱２ｂの太さは、例えば、２〜２．５ｍｍ程度、従って、その間隔の幅もこの程度となる。
また、上下方向において各相対向する上段の一対の上向き傾斜防沫板２ｃ，２ｃの直線状の下端縁間に形成される通気用間隙５，５間の円周方向の位置ずれ角度θは図２に示すように、両者５，５の距離が最長となる９０度が最も好ましいが、それ以下の角度でもよい。一般に、３段又はそれ以上の段数を併せ考慮し、２０〜９０度の範囲が選択使用できる。
また、各段の一対の上向き傾斜防沫板２ｃ，２ｃの水平面に対する傾斜角度は、２０度以上が好ましいが、図示の例では３０度としたものを示す。
【手続補正３】
【補正対象書類名】明細書
【補正対象項目名】００１０
【補正方法】変更
【補正の内容】
【００１０】
上記本発明の液口栓を、鉛蓄電池の電槽蓋に上記のように取り付ける場合、通常、その筒状体１の下端は電解液の規定液面より上方に位置するように取り付けられる。蓄電池が振動を受けるとき、波立った電解液や電池内部に発生するガスに含まれる飛沫や霧状の電解液は、対向する開口部１ｃ，１ｃを介し最下段の一対の上向き傾斜防沫板２ｃ，２ｃの下方の空間８に侵入する。その侵入方向と対向する該一対の上向き傾斜防沫板２ｃ，２ｃにより電解液の上昇は阻止されるが、阻止を免れた一部の電解液を含むガスは、該一対の傾斜防沫板２ｃ，２ｃの下端縁間の通気用間隙５を通り抜けてその上方の空間９に侵入する。以下、通気用間隙を間隙と略称する。
本発明の液口栓は、その空間９の上方は、図１、図２、図３に示すように、最下段の一対の上向き傾斜防沫板２ｃ，２ｃの対峙方向とは９０度位置をずらされて配置され、従って、最下段の一対の上向き傾斜防沫板２ｃ，２ｃの下端縁間の間隙５の位置に対し下端縁間の間隙５の位置が９０度ずらされた２段目の一対の上向き傾斜防沫板２ｃ，２ｃで被覆されているので、その空間９に侵入し上昇するガスは、その上方を被覆する２段目の一対の上向き傾斜防沫板２ｃ，２ｃの下面に衝突すること、その後、その下面と最下段の防沫板２ｃ，２ｃの上面に接触し乍ら９０度円弧状に導かれ、その間に電解液がその上下の防沫板に付着し、捕捉されること及びその一対の上向き傾斜防沫板２ｃ，２ｃの下面に沿い斜め上向きに導かれ、その上端板部と該筒状体１の周側壁内面１ｇとの間に形成されている上向きのデルター状空間部４，４に集まり衝突し、更には、該周側壁内面１ｇに沿い下向きに流れ、その周側壁内面で電解液が付着捕捉されることなどにより、ガス中の電解液の捕捉効率は向上する。この間に、ガスの上昇エネルギーは減衰する。このように捕捉された電解液は、最下段の一対の防沫板２ｃ，２ｃの上面を流下し、その下縁間の間隙５を介し最下部の空間８へ還流される。このように、２段目の一対の上向き防沫板２ｃ，２ｃの下端縁間の間隙５は、最下段の一対の上向き傾斜防沫板２ｃ，２ｃの下端縁間の間隙５に対し９０度ずらされた位置に在るので、最下段の一対の上向き傾斜防沫板２ｃ，２ｃの間隙５を介し上昇するガスは、結局、上記のように効率のよい電解液捕集作用を受け且つ上昇エネルギーを減少し乍ら、その２段目の一対の防沫板２ｃ，２ｃの下面に沿い、その下端縁間の間隙５に達し、この該間隙５より上方の空間１０内に侵入する。その空間１０の上方は、該２段目の一対の上向き傾斜防沫板２ｃ，２ｃの対峙方向とは９０度位置をずらせて配置され、従って、その下端縁間の間隙５が該２段目の防沫板２ｃ，２ｃの間隙５の位置に対し下端縁間の間隙５の位置が９０度ずらされた最上段の一対の上向き傾斜防沫板２ｃ，２ｃで被覆されているので、その空間１０に侵入した残留電解液を含むガスは、空間９内と同様の効率の良い電解液捕捉作用を受けた後、その下端間の間隙５から上方の空間６に上昇する。一方、該最上段の一対の上向き傾斜防沫板２ｃ，２ｃの下面と２段目の防沫板２ｃ，２ｃの上面と両側のデルター状空間部４，４により上記のように捕捉された電解液は、その下方の、即ち、２段目の一対の防沫板２ｃ，２ｃの上面を流下し、その下端縁間の間隙５を介し最下段の一対の防沫板２ｃ，２ｃ上面に落下し、更にその下端縁間の間隙５を介しその下方の空間８に還流する。かくして、最上段の一対の防沫板２ｃ，２ｃの下端縁間の間隙５を通り抜けたガスは、該有頂筒状体１の該頭部１ａの内部空間６を介し、所望により該内部空間６に収納した防爆フィルター７を収容した場合は該フィルター７を介し、その両側の排気孔１ｂ，１ｂより外部に排出される。
【手続補正４】
【補正対象書類名】図面
【補正対象項目名】図２
【補正方法】変更
【補正の内容】
【図２】
2005228605.tif 000001